(57)【要約】  【課題】モニタ上で白とびや黒つぶれになっている領域を確認しやすくする機能を備えた画像処理システムを提供して、白とびや黒つぶれ状態のままで印画紙や各種メディアへ出力してしまうことを防止できるようにすること。  【解決手段】本発明にかかる写真処理システムでは、入力された写真画像を構成する各ピクセルの濃度を所定の白とびしきい値と比較して、前記白とびしきい値より薄いピクセルを白とびピクセルと判定し、白とびピクセルと判定されたピクセルを所定の白とび置換データに置き換えて出力し、入力された写真画像を構成する各ピクセルの濃度を所定の黒つぶれしきい値と比較して、前記くろつぶれしきい値より濃いピクセルを黒つぶれピクセルと判定し、黒つぶれピクセルと判定されたピクセルを所定の黒つぶれ置換データに置き換えて出力するピクセル置換手段を備えた。【選択図】      図３
2006033555.tif 000002
【特許請求の範囲】
【請求項１】
入力された写真画像を構成する各ピクセルの濃度を、
所定の白とびしきい値と比較して、
前記白とびしきい値より薄いピクセルを白とびピクセルと判定し、
白とびピクセルと判定されたピクセルを所定の白とび置換データに置き換えて出力する白とびピクセル置換手段を備えたことを特徴とする写真処理システム。
【請求項２】
入力された写真画像を構成する各ピクセルの濃度を、
所定の黒つぶれしきい値と比較して、
前記くろつぶれしきい値より濃いピクセルを黒つぶれピクセルと判定し、
黒つぶれピクセルと判定されたピクセルを所定の黒つぶれ置換データに置き換えて出力する黒つぶれピクセル置換手段を備えたことを特徴とする写真処理システム。
【請求項３】
入力された写真画像の各ピクセルのうち、
前記白とびピクセル置換手段によって白とび置換データに置き換えられたピクセルは所定の白とび置換データに置き換えて表示し、
白とび置換データに置き換えられなかったピクセルは、入力された写真画像の元のままで表示する白とび置換表示手段を具備したことを特徴とする請求項１に記載の写真処理システム。
【請求項４】
入力された写真画像の各ピクセルのうち、
前記黒つぶれピクセル置換手段によって黒つぶれ置換データに置き換えられたピクセルは所定の黒つぶれ置換データに置き換えて表示し、
黒つぶれ置換データに置き換えられなかったピクセルは、入力された写真画像の元のままで表示する黒つぶれ置換表示手段を具備したことを特徴とする請求項３に記載の写真処理システム。
【請求項５】
入力された写真画像の各ピクセルのうち、
前記白とびピクセル置換手段によって白とび置換データに置き換えられたピクセルは所定の白とび置換データに置き換えて表示し、
前記黒つぶれピクセル置換手段によって黒つぶれ置換濃度に置き換えられたピクセルは所定の黒つぶれ置換データに置き換えて表示し、
白とび置換データにも黒つぶれ置換データにも置き換えられなかったピクセルは、入力された写真画像の元のままで表示する白とび・黒つぶれ置換表示手段を具備したことを特徴とする写真処理システム。
【請求項６】
入力されたカラー写真画像を構成する各ピクセルの各色要素の濃度を、
各色要素の白とびしきい値が設定された所定の白とびしきい値と比較して、
各ピクセルの各色要素が全て前記各色要素の白とびしきい値より薄いピクセルを白とびピクセルと判定し、
白とびピクセルと判定されたピクセルの濃度を所定の白とび色に置き換えて出力する白とびピクセル置換手段を備えたことを特徴とする写真処理システム。
【請求項７】
入力されたカラー写真画像を構成する各ピクセルの各色要素の濃度を、
各色要素の黒つぶれしきい値が設定された所定の黒つぶれ値と比較して、
各ピクセルの各色要素が全て前記各色要素の黒つぶれより濃いピクセルを黒つぶれピクセルと判定し、
黒つぶれピクセルと判定されたピクセルの濃度を所定の黒つぶれ色に置き換えて出力する黒つぶれピクセル置換手段を備えたことを特徴とする写真処理システム。
【請求項８】
入力された写真画像の各ピクセルのうち、
前記白とびピクセル置換手段によって白とび色に置き換えられたピクセルは所定の白とび色で表示し、
白とび色に置き換えられなかったピクセルは、入力された写真画像の元の色で表示する
白とび置換表示手段を具備したことを特徴とする請求項６に記載の写真処理システム。
【請求項９】
入力された写真画像の各ピクセルのうち、
前記黒つぶれピクセル置換手段によって黒つぶれ色に置き換えられたピクセルは所定の黒つぶれ色で表示し、
黒つぶれ色に置き換えられなかったピクセルは、入力された写真画像の元の色で表示する黒つぶれ置換表示手段を具備したことを特徴とする請求項７に記載の写真処理システム。
【請求項１０】
入力された写真画像の各ピクセルのうち、
前記白とびピクセル置換手段によって白とび色に置き換えられたピクセルは所定の白とび色で表示し、
前記黒つぶれピクセル置換手段によって黒つぶれ色に置き換えられたピクセルは所定の黒つぶれ色で表示し、
白とび色にも黒つぶれ色にも置き換えられなかったピクセルは、入力された写真画像の元の色で表示する白とび・黒つぶれ置換表示手段を具備したことを特徴とする写真処理システム。
【請求項１１】
前記白とび置換表示手段または前記黒つぶれ置換表示手段の少なくとも何れか一方を動作状態または非動作状態に切り替える切り替え手段を備えたことを特徴とする請求項１〜１０の何れか１項に記載の写真処理システム。
【発明の詳細な説明】
【技術分野】
【０００１】
本発明は、写真画像の画像処理技術に関するものである。
【背景技術】
【０００２】
従来より、パソコンを用いた画像処理技術を利用したものとして、ミニラボや店頭受付機における画像処理システムがある。このような画像処理システムでは、写真画像をサムネイル表示して、各コマ画像を画像選択したり、選択したコマ画像を補正する場合がある。
このような場合に、写真画像を表示しているモニタ（ディスプレイ装置）の状態や周囲の光源の状態によっては、写真画像の白とびや黒つぶれなどの階調を失っている部分の確認がしにくい場合がある。
また、サムネイル表示の場合には縮小表示しているために、各コマ画像の表示エリアが小さいということも、そのような確認がしにくい要因のひとつとなっている。
【発明の開示】
【発明が解決しようとする課題】
【０００３】
上述したように、従来の画像処理システムの場合には、写真画像を表示しているモニタの状態や周囲の光源の状態によっては、写真画像の白とびや黒つぶれなどの階調を失っている部分の確認がしにくいので、ユーザが、そのようなコマ画像に濃度補正を加えることによって、白とびや黒つぶれの領域がさらに拡大してしまうことがあり、しかも、そのような状況をユーザはモニタで見ても気づかない場合があるという問題があった。
【０００４】
そこで、本発明は、ユーザがモニタ上で白とびや黒つぶれになっている領域を確認しやすくする機能を備えた画像処理システムを提供して、白とびや黒つぶれ状態のままで印画紙や各種メディアへ出力してしまうことを防止しやすくする機能を提供することを目的としてなされたものである。
【課題を解決するための手段】
【０００５】
本発明にかかる写真処理システムの請求項１では、
入力された写真画像を構成する各ピクセルの濃度を、
所定の白とびしきい値と比較して、
前記白とびしきい値より薄いピクセルを白とびピクセルと判定し、
白とびピクセルと判定されたピクセルを所定の白とび置換データに置き換えて出力する白とびピクセル置換手段を備えている。
この場合は、階調情報を持ったモノトーンの写真画像も、カラー写真画像も含むものである。白とびについて置き換えるものであり、黒つぶれについての置き換えをしないものも含む。
請求項２では、
入力された写真画像を構成する各ピクセルの濃度を、
所定の黒つぶれしきい値と比較して、
前記くろつぶれしきい値より濃いピクセルを黒つぶれピクセルと判定し、
黒つぶれピクセルと判定されたピクセルを所定の黒つぶれ置換データに置き換えて出力する黒つぶれピクセル置換手段を備えている。
この場合は、階調情報を持ったモノトーンの写真画像も、カラー写真画像も含むものである。黒つぶれについて置き換えるものであり、白とびについての置き換えをしないものも含む。
請求項３では、
入力された写真画像の各ピクセルのうち、
前記白とびピクセル置換手段によって白とび置換データに置き換えられたピクセルは所定の白とび置換データに置き換えて表示し、
白とび置換データに置き換えられなかったピクセルは、入力された写真画像の元のままで表示する白とび置換表示手段を具備している。
この場合は、置き換えた白とび置換データを元の画像と重ねて表示するものであり、黒つぶれを置き換えないものも含む。
請求項４では、
入力された写真画像の各ピクセルのうち、
前記黒つぶれピクセル置換手段によって黒つぶれ置換データに置き換えられたピクセルは所定の黒つぶれ置換データに置き換えて表示し、
黒つぶれ置換データに置き換えられなかったピクセルは、入力された写真画像の元のままで表示する黒つぶれ置換表示手段を具備している。
この場合は、置き換えた黒つぶれ置換データを元の画像と重ねて表示するものであり、白とびを置き換えないものも含む。
請求項５では、
入力された写真画像の各ピクセルのうち、
前記白とびピクセル置換手段によって白とび置換データに置き換えられたピクセルは所定の白とび置換データに置き換えて表示し、
前記黒つぶれピクセル置換手段によって黒つぶれ置換濃度に置き換えられたピクセルは所定の黒つぶれ置換データに置き換えて表示し、
白とび置換データにも黒つぶれ置換データにも置き換えられなかったピクセルは、入力された写真画像の元のままで表示する白とび・黒つぶれ置換表示手段を具備している。
この場合は、置き換えた白とびピクセル及び黒つぶれピクセルを元の画像と重ねて表示する。
なお、白とび置換データもしくは黒つぶれ置換データは、特定の濃度でもよいが、識別性を高めるために、特定の画像に置換するとよい。例えば、隣接ピクセルまで拡大した領域を特定形状の図形に置換したり、連続したピクセルによって所定の領域が形成された場合には、特定の図形で塗りつぶしたりすることができる。
【０００６】
請求項６では、
入力されたカラー写真画像を構成する各ピクセルの各色要素の濃度を、
各色要素の白とびしきい値が設定された所定の白とびしきい値と比較して、
各ピクセルの各色要素が全て前記各色要素の白とびしきい値より薄いピクセルを白とびピクセルと判定し、
白とびピクセルと判定されたピクセルの濃度を所定の白とび色に置き換えて出力する白とびピクセル置換手段を備えている。
この場合は、カラー写真画像に関して、白とびについて置き換えるものであり、黒つぶれについての置き換えをしないものも含む。
請求項７では、
入力されたカラー写真画像を構成する各ピクセルの各色要素の濃度を、
各色要素の黒つぶれしきい値が設定された所定の黒つぶれ値と比較して、
各ピクセルの各色要素が全て前記各色要素の黒つぶれより濃いピクセルを黒つぶれピクセルと判定し、
黒つぶれピクセルと判定されたピクセルの濃度を所定の黒つぶれ色に置き換えて出力する黒つぶれピクセル置換手段を備えている。
この場合、カラー写真画像に関して、黒つぶれについて置き換えるものであり、白とびについての置き換えをしないものも含む。
請求項８では、
入力された写真画像の各ピクセルのうち、
前記白とびピクセル置換手段によって白とび色に置き換えられたピクセルは所定の白とび色で表示し、
白とび色に置き換えられなかったピクセルは、入力された写真画像の元の色で表示する
白とび置換表示手段を具備した。
この場合は、置き換えた白とびピクセルを元の画像と重ねて表示するものであり、黒つぶれは置き換えないものも含む。
請求項９では、
入力された写真画像の各ピクセルのうち、
前記黒つぶれピクセル置換手段によって黒つぶれ色に置き換えられたピクセルは所定の黒つぶれ色で表示し、
黒つぶれ色に置き換えられなかったピクセルは、入力された写真画像の元の色で表示する黒つぶれ置換表示手段を具備した。
この場合は、置き換えた黒つぶれピクセルを元の画像と重ねて表示するものであり、白とびは置き換えないものも含む。
請求項１０では、
入力された写真画像の各ピクセルのうち、
前記白とびピクセル置換手段によって白とび色に置き換えられたピクセルは所定の白とび色で表示し、
前記黒つぶれピクセル置換手段によって黒つぶれ色に置き換えられたピクセルは所定の黒つぶれ色で表示し、
白とび色にも黒つぶれ色にも置き換えられなかったピクセルは、入力された写真画像の元の色で表示する白とび・黒つぶれ置換表示手段を具備した。
この場合は、置き換えた白とびピクセルと黒つぶれピクセルとを元の画像と重ねて表示する。
請求項１１では、
前記白とび置換表示手段または前記黒つぶれ置換表示手段の少なくとも何れか一方を動作状態または非動作状態に切り替える切り替え手段を備えた。
【発明の効果】
【０００７】
本発明にかかる写真処理システムの請求項１〜６では、階調情報を持ったモノトーンの写真画像の場合でも、カラー写真画像の場合でも、白とびしている部分や黒つぶれしている部分を所定のデータに置き換えて出力もしくは表示するので、効率よく適正な補正を行うことができる。
請求項６〜１０では、カラー写真画像の場合に、白とびしている部分や黒つぶれしている部分を所定の色に置き換えて出力もしくは表示するので、効率よく適正な補正を行うことができる。
請求項１１では、白とび置換表示手段、黒つぶれ置換表示手段の少なくとも何れか一方、または白とび・黒つぶれ置換表示手段を動作状態もしくは非動作状態に切り替えることができるので、白とびや黒つぶれを確認したいときにだけ、効率よく確認することができる。
【発明を実施するための最良の形態】
【０００８】
以下に、本発明にかかる写真処理システムを、その実施の形態を示した図面に基づいて詳細に説明する。
図１は、コンピュータを用いた写真処理装置の全体のブロック図である。
図１において、１は写真処理装置であり、現像済みのフィルムの画像を読み取るスキャナ２と、前記スキャナ２でよって読み取った画像データや、記憶媒体から読み取った画像データを画像処理して出力するパソコン３と、前記パソコン３から出力された画像データをプリントデータに変換して印画紙に焼き付けて現像処理する焼付け現像処理部４とを備えている。
【０００９】
前記パソコン３は、図１、２に示したように、Windows2000(MicroSoft社商標)等のＯＳのもとで稼働するコンピュータであり、ＣＰＵ３１、ハードディスク３２、ディスプレイ装置３３、キーボードやマウス等の入力装置３４等から構成されている。このパソコン３には後述する画像処理プログラムがインストールされており、画像処理システムを構成している。
そして、焼付け現像処理部４は、前記パソコン３で処理された画像データに基づいた画像を、感光材（印画紙）にレーザー露光させる露光部４１と、ロール状に巻回された印画紙を収納し、所定サイズに切断して露光部４１に順次供給する感光材収納部４２と、露光部４１で露光された印画紙を現像、漂白定着及び安定処理する現像部４３及び安定処理された印画紙を乾燥する乾燥部４４等で構成されている。
【００１０】
図３は、前記パソコン３にインストールされている画像処理プログラムの要部を説明するフローチャートである。
図３のステップＳ１において、スキャナや各種メディアから読み取って入力された写真画像を、図４のようにサムネイル表示させて、明るさの調整等各種の補正処理等を施す。
図４のサムネイル表示画面において、Ｄ１、Ｄ２、Ｄ３、Ｄ４は入力された写真画像が縮小されてサムネイル表示されたコマ画像である。
各コマ画像の近傍、例えば上側もしくは下側等には、ファイル名、濃度補正値、画像サイズ、拡大／縮小率、プリント枚数等のデータと共に、白とび・黒つぶれ領域を確認するために「Ｈ／Ｓ確認ボタン」と表示されたボタンＢが表示されている。
前記ボタンＢは、特許請求の範囲に記載された白とび置換表示手段もしくは前記黒つぶれ置換表示手段の少なくとも何れか一方を動作状態もしくは非動作状態に切り替える切り替え手段、もしくは白とび・黒つぶれ置換表示手段を動作状態もしくは非動作状態に切り替える切り替え手段に対応する構成である。
【００１１】
ステップＳ２においては、前記ボタンＢが押されたか否か（マウスカーソルでポイントされて左クリックされたか否か）を監視し、押されなければステップＳ１に戻り、特定のコマ画像のボタンＢが押された場合にはステップＳ３へ進む。
【００１２】
ステップＳ３、Ｓ４では、図５のように、押されたボタンＢに対応したコマ画像が選択されて拡大表示もしくはそのままの大きさで表示されるとともに、白とび領域は例えば赤色に置換されて、黒つぶれ領域は黄色に置換されて、元の画像の上に重ねて表示される。
例えば、コマ画像Ｄ１に対応したボタンＢが押されると、コマ画像Ｄ１の写真画像が図５のように白とび・黒つぶれが確認できるように置換されて表示される。
【００１３】
ステップＳ３においては、選択されたコマ画像の各ピクセルの各色要素の濃度を、
予め設定された所定の白とびしきい値と比較して、
各色要素が全て前記各色要素の白とびしきい値より大きい（薄い）ピクセルを白とびピクセルと判定し、
予め設定された所定の黒つぶれ値と比較して、
各色要素が全て前記各色要素の黒つぶれより小さい（濃い）ピクセルを黒つぶれピクセルと判定し、
白とびピクセルと判定されたピクセルの濃度を、予め設定された所定の白とび色に置き換えて出力し、
黒つぶれピクセルと判定されたピクセルの濃度を所定の黒つぶれ色に置き換えて出力する。
この処理は、特許請求の範囲に記載された白とびピクセル置換手段および黒つぶれピクセル置換手段に対応している。
【００１４】
ステップＳ４においては、
入力された写真画像の各ピクセルのうち、
前記白とびピクセル置換手段によって白とび色に置き換えられたピクセルは所定の白とび色で表示し、
前記黒つぶれピクセル置換手段によって黒つぶれ色に置き換えられたピクセルは所定の黒つぶれ色で表示し、
白とび色にも黒つぶれ色にも置き換えられなかったピクセルは、入力された写真画像の元の色で表示する。
この処理は、特許請求の範囲に記載された白とび置換表示手段、黒つぶれ置換表示手段および白とび・黒つぶれ置換表示手段に対応している。
ステップＳ５では、再度ボタンＢが押されると、ステップＳ１に戻り、図４のように通常のカラー画像としてサムネイル表示される。
【００１５】
図６は設定画面の例を示した図であり、
赤（Ｒ）要素の白とびしきい値は設定窓Ｗ１の数値を増減設定することによって設定し、緑（Ｇ）要素の白とびしきい値は設定窓Ｗ２の数値を増減設定することによって設定し、青（Ｂ）要素の白とびしきい値は設定窓Ｗ３の数値を増減設定することによって設定する。  また、赤（Ｒ）要素の黒つぶれしきい値は設定窓Ｗ４の数値を増減設定することによって設定し、緑（Ｇ）要素の黒つぶれしきい値は設定窓Ｗ５の数値を増減設定することによって設定し、青（Ｂ）要素の黒つぶれしきい値は設定窓Ｗ６の数値を増減設定することによって設定する。
白とび色は、設定ボタンＳＢ１を押して、色設定ダイアログＳＤを表示させて、所望の色に設定する。このとき、入力された写真画像に無い色に設定することが識別性を得るために好ましい。黒つぶれ色は、設定ボタンＳＢ２を押して、色設定ダイアログＳＤを表示させて、所望の色に設定する。このとき、入力された写真画像に無い色に設定することが識別性を得るために好ましい。
【実施例１】
【００１６】
実施例１においては、図６の設定画面において、例えば、白とびしきい値として、ＲＧＢ＝（254,254,254）を設定し、黒つぶれしきい値として、ＲＧＢ＝（1,1,１）を設定する。また、白とび色は赤色に設定し、黒つぶれ色は黄色に設定する。
従って、このような設定の場合には、Ｒ、Ｇ、Ｂの全ての要素の濃度が254以上であるピクセルが白とびと判定されて、例えば赤色に置換されて、Ｒ、Ｇ、Ｂの全ての要素の濃度が１以下であるピクセルが黒つぶれと判定されて、例えば黄色に置換されて、元の画像に重ねて表示される。
このようにして、白とびしている領域がどの部分にどの程度あるか、また、黒つぶれしている領域がどの部分にどの程度あるか、を視覚的に把握することが出来るので、適正な補正処理を行うことができるようになる。
【実施例２】
【００１７】
実施例２においては、モノトーンの写真画像を対象としている。なお、モニタはカラー表示機能を備えているものとする。
例えば、白とびしきい値として濃度＝２５４を設定し、黒つぶれしきい値として濃度１を設定する。また、白とび置換データとして赤色に置き換えて表示するように設定し、黒つぶれ置換データとしては黄色に置換して表示するように設定する。
従って、このような設定の場合には、濃度が254以上であるピクセルが白とびと判定されて、例えば赤色に置換されて、要素の濃度が１以下であるピクセルが黒つぶれと判定されて、例えば黄色に置換されて、元の画像に重ねて表示される。
このようにして、白とびしている領域がどの部分にどの程度あるか、また、黒つぶれしている領域がどの部分にどの程度あるか、を視覚的に把握することが出来るので、適正な補正処理を行うことができるようになる。
【図面の簡単な説明】
【００１８】
【図１】本発明にかかる写真処理システムを採用した写真処理システムの実施の形態の構成を示した構成図である。
【図２】前記写真処理システムに用いるパソコンの概略構成図である。
【図３】前記写真処理システムの画像処理プログラムの要部のフローチャートである。
【図４】サムネイル表示画面の例を示す図である。
【図５】置換表示した画面の例を示す図である。
【図６】設定画面の例を示す図である。
【符号の説明】
【００１９】
１  写真処理システム
２  スキャナ
３  パソコン
４  現像処理部
３１  ＣＰＵ
３２  ハードディスク
３３  ディスプレイ装置
３４  入力装置
【図１】
2006033555.tif 000003
【図２】
2006033555.tif 000004
【図３】
2006033555.tif 000005
【図４】
2006033555.tif 000006
【図５】
2006033555.tif 000007
【図６】
2006033555.tif 000008